(57)【要約】【課題】ボールマーカー１５を簡単な押圧操作により素早く取出すことができて取出し操作性が大幅に向上し、使い勝手がよく実用的に優れたボールマーカー用ホルダー８を提供する。【解決手段】磁性部材９が磁石体１３に吸着してボールマーカー１５を窪み部１２の上面開口部１２ａに嵌合状態に保持するので、ボールマーカー１５が確実に保持側部材９に装着される。ボールマーカー１５の一端部１５ｃに対する押圧操作により、ボールマーカー１５が磁石体１３を支点として傾斜回動するため、上面開口部１２ａから外部に出現したボールマーカー１５の他端部１５ｄを摘むことにより、ボールマーカー１５を保持側部材９の上面開口部１２ａから外部に容易に取出すことができて取出し操作性が大幅に向上する。【選択図】図２
0003181367.tif 000002
【実用新案登録請求の範囲】
【請求項１】
野外で着用する靴に着脱可能に取付けるボールマーカー用ホルダーであって、
前記靴の所定箇所に取付けられる保持側部材と、
前記保持側部材に対して着脱可能に取付けられ盤状のボールマーカーとを備え、
前記保持側部材は、
前記保持側部材の裏面に固定された平坦なフック板を曲成して断面が細長な横Ｕ字状を呈するように設けたクリップと、
前記保持側部材の表面に形成され、内部を受容空間とする窪み部と、
前記窪み部の内底部に立設された磁石体とを有し、
前記ボールマーカーは、前記窪み部の上面開口部に嵌合する大きさを有し、
前記ボールマーカーの裏面側で前記磁石体に応じて固定された磁性部材を備え、
前記保持側部材に対する前記ボールマーカーの装着時、前記磁性部材が前記磁石体に吸着して前記ボールマーカーを前記窪み部の上面開口部に嵌合状態で保持し、前記保持側部材から前記ボールマーカーを取出す時、前記磁石体を支点として前記ボールマーカーの一端部を前記窪み部の前記受容空間に没するように押圧することにより、梃子の原理が働いて前記ボールマーカーが前記磁石体を中心にして前記保持側部材に対して傾斜するように回動し、前記ボールマーカーの他端部が前記上面開口部から外部に出現するようにしたことを特徴とするボールマーカー用ホルダー。
【請求項２】
前記保持側部材および前記ボールマーカーは、それぞれアルミニウム材により形成され、前記磁性部材はクロム系ステンレス鋼材により形成され、前記クリップはニッケル系ステンレス鋼材により形成されていることを特徴とする請求項１に記載のボールマーカー用ホルダー。
【請求項３】
前記磁石体は、前記窪み部の内底部中央に立設された筒体に嵌着されていることを特徴とする請求項１に記載のボールマーカー用ホルダー。
【請求項４】
前記磁石体の先端部は半球状を成し、前記保持側部材に対する前記ボールマーカーの装着時、前記磁石体の前記先端部が前記磁性部材に点接触状態で当接することを特徴とする請求項１に記載のボールマーカー用ホルダー。
【請求項５】
前記磁石体の先端部は半球状を成すとともに、前記ボールマーカーの裏面側に半球面状に窪む前記磁性部材を嵌着した凹部が形成されており、前記保持側部材に対する前記ボールマーカーの装着時、前記磁石体の前記先端部が前記磁性部材に滑動可能に嵌合されることを特徴とする請求項１に記載のボールマーカー用ホルダー。
【請求項６】
前記磁石体は、前記窪み部の内底部中央から位置ずれした偏心状態に設けられていることを特徴とする請求項１に記載のボールマーカー用ホルダー。
【請求項７】
前記ボールマーカーの裏面外周縁には、磁性体辺部が設けられ、前記窪み部の内底部外周縁には、前記磁性体辺部に対応する磁石辺部が設けられていることを特徴とする請求項１に記載のボールマーカー用ホルダー。
【請求項８】
前記窪み部の内底部に前記磁石体を頂点として外周縁の裾野に向かって下降傾斜しながら緩やかに広がる円錐状のテーパ面を形成したことを特徴とする請求項１に記載のボールマーカー用ホルダー。
【請求項９】
前記ボールマーカーの表面には、光反射部材が貼着されていることを特徴とする請求項１に記載のボールマーカー用ホルダー。
【請求項１０】
前記ボールマーカーの裏面には、シート状の磁性部材が全面にわたって貼着されているとを特徴とする請求項１に記載のボールマーカー用ホルダー。
【考案の詳細な説明】
【技術分野】
【０００１】
本考案は、フェアウエイでゴルフをプレーする際、ボールマーカーを携帯するために用いるボールマーカー用ホルダーに係り、とりわけゴルフのプレー時には、いつでもボールマーカーを視認できるようにプレーヤーの靴に取付けるボールマーカー用ホルダーに関する。
【背景技術】
【０００２】
数人の仲間でゴルフコースを回る時、自分のボールが他人のボールの妨げとならないように、自分がプレーの順番を待機しているうちは、ボールの代わりにマーカーを芝生上にセットしておくのが習わしとして定着している。
ゴルフ用のマーカーに関する考案としては、様々な手法を用いてマーカーを携帯し易く工夫した各種の改良品が特許文献１〜４に開示されている。
特許文献１〜４のうち、特許文献１に記載されたボールマーカーは、ゴルフシューズの組紐に差し込むコ字状の止着部と、止着部に取付けられた円柱状のマーカー保持部とを有し、ボールマーカーの突起ピンをマーカー保持部の小穴に挿入止着することにより、ボールマーカーをマーカー保持部に対して着脱自在に設けている。
【０００３】
特許文献２では、ゴルフシューズに設けられた取付ベースにシート状のマグネットを装着しており、ボールマーカーはマグネットに対して着脱自在となっている。
特許文献３では、ゴルフシューズ本体の砂除けに面ファスナーを設けておき、マーカーの裏面にも面ファスナーを設け、面ファスナー同士の係着により、マーカーを砂除けの面ファスナーに対して着脱自在に装着している。
特許文献４では、ゴルフ用帽子の鍔に強力磁性体が埋設されており、ボールマーカーを強力磁性体に対して磁気力により吸着させることにより、ボールマーカーをゴルフ用帽子の鍔に着脱自在に取付けている。
【先行技術文献】
【特許文献】
【０００４】
【特許文献１】実用新案登録第３０９９１４２号公報
【特許文献２】特開２００９−２２５９５９号公報
【特許文献３】実開平６−３６４０１号公報
【特許文献４】実用新案登録第３１１１８３４号公報
【考案の概要】
【考案が解決しようとする課題】
【０００５】
特許文献１では、ボールマーカーをマーカー保持部に対して着脱自在に設けているが、マーカーをマーカー保持部から取出す時には、突起ピンをマーカー保持部の小穴から抜くために引張操作を必要とする。
特許文献２では、ボールマーカーの取出し時、ボールマーカーを磁気吸引力に抗してマグネットから引き離すため、ボールマーカーに対して引張操作が必要となる。
特許文献３では、マーカーを取出す際、一方の面ファスナーを他方の面ファスナーから引き剥がすため、面ファスナーに対する引張操作が必要となる。
【０００６】
特許文献４では、ボールマーカーをゴルフ用帽子の鍔から取出す場合、ボールマーカーを磁気吸引力に抗して強力磁性体から引き離すため、ボールマーカーに対して引張操作を行う必要がある。
このように、特許文献１〜４では、ボールマーカーあるいはマーカーを取出す際、いずれも引張操作を要するため、引張力がマーカー保持部、マグネット、面ファスナーや強力磁性体などの保持側部に波及する構造となっている。
【０００７】
このため、ボールマーカーを取り出す際に生じる引張力が、ゴルフシューズやゴルフ用帽子に伝わり、引張操作を一方向に指向させ難くなって安定性を欠き、ボールマーカーの取出し操作性が低下し、手間取りがちで使い勝手が悪くなる虞がある。
特に、ボールマーカーをゴルフ用帽子に取付ける特許文献４では、ボールマーカーに対する視認性が不良であり、また、プレーヤーの動作によってはボールマーカーがゴルフ用帽子の鍔から遠心力などを受け、鍔から外れて落ち易くなる虞がある。
すなわち、ボールマーカーを保持側部に強固に装着しようとすれば、取出し難くなり、ボールマーカーを取出し易くすれば、保持側部に対するボールマーカーに装着が緩くなるという互いに相反する事象がある。
【０００８】
本考案は、互いに相反する事象にありながらも双方を同時に満足させるべくなされたもので、その目的は、ボールマーカーを保持側部材に確実に装着できる一方、保持側部材からのボールマーカーの取出しは、押圧操作により可能となるため、安定した素早い取出しが可能となって取出し操作性が大幅に向上し、しかも雨天時などに水に濡れても錆による腐食が生じず、総じて使い勝手のよい実用性に優れた構造のボールマーカー用ホルダーを提供することにある。
【課題を解決するための手段】
【０００９】
（請求項１について）
野外で着用する靴に着脱可能に取付けるボールマーカー用ホルダーであって、保持側部材は、靴の所定箇所に取付けられるものである。盤状のボールマーカーは、保持側部材に対して着脱可能に取付けられている。
保持側部材の裏面には、平坦なフック板を曲成して断面が細長な横Ｕ字状を呈するように設けたクリップが固定されている。保持側部材の表面には、内部を受容空間とする窪み部が形成されている。窪み部の内底部には磁石体が立設されている。
ボールマーカーは、窪み部の上面開口部に嵌合する大きさを有している。ボールマーカーの裏面側で磁石体に応じて設けられた磁性部材が固定されている。
保持側部材に対するボールマーカーの装着時、磁性部材が磁石体に吸着してボールマーカーを窪み部の上面開口部に嵌合状態で保持する。
保持側部材からボールマーカーを取出す時、磁石体を支点としてボールマーカーの一端部を窪み部の受容空間に没するように押圧することにより、梃子の原理が働いてボールマーカーが磁石体を中心にして保持側部材に対して傾斜するように回動し、ボールマーカーの他端部が上面開口部から外部に出現する。
【００１０】
請求項１では、磁性部材が磁石体に吸着してボールマーカーを窪み部の上面開口部に嵌合状態で保持するので、ボールマーカーが確実に保持側部材に装着され、ゴルフのプレー時にボールマーカーが不用意に保持側部材から外れて落ちることがない。
ボールマーカーの一端部に対する押圧操作により、ボールマーカーが磁石体を支点として傾斜するように回動してボールマーカーの他端部が上面開口部から外部に出現するので、ボールマーカーの他端部を摘むことにより、ボールマーカーを保持側部材の上面開口部から外部に容易に且つ素早く取出すことができる。
【００１１】
すなわち、ボールマーカーの装着時には、ボールマーカーが確実に保持側部材に保持される一方、ボールマーカーを保持側部材から取出す際、ボールマーカーへの押圧操作により取出すことができるため、引張り操作と異なって取出し操作が安定し、ボールマーカーを簡単な操作で素早く取出すことができて取出し操作性が大幅に向上し、総じて使い勝手のよい実用性に優れた構造のボールマーカー用ホルダーが実現する。
【００１２】
磁石体を保持側部材に設けているので、磁石体の磁気力が保持側部材の外部に波及し難くなる。このため、磁石体をボールマーカーに設けるものと異なり、磁石体の磁気力がゴルフクラブに波及し難くなり、プレー時、ボールマーカーが不用意に保持側部材から外れてパターに吸着してしまうことがない。
保持側部材を靴に取付ける際、クリップを例えば靴の甲の部分（インステップ）に差込むことで、平坦なフック板が甲の部分と面接触で当接し合うため、丸ピンなどのピン部材を用いる場合と異なって、甲の部分に対する保持側部材の取付け状態が堅固になり、保持側部材が甲の部分から不用意に抜け落ちることがない。
【００１３】
（請求項２について）
保持側部材およびボールマーカーは、それぞれアルミニウム材により形成され、磁性部材はクロム系ステンレス鋼材により形成され、クリップはニッケル系ステンレス鋼材により形成されている。
請求項２では、ボールマーカーは適宜な重さを有し、風などによる影響を受けることがなく、セット時に芝生上で安定した状態に置かれる。また、ニッケル系ステンレス鋼材は耐腐食性金属のため、雨天時などにクリップが水に濡れても錆による腐食が生じず、靴や靴紐などに錆の汚れが生じることがない。
【００１４】
また、磁性部材にクロム系ステンレス鋼材を用いているので、磁性部材に対する磁石体の良好な吸着力が得られ、保持側部材に対するボールマーカーの良好な保持力を維持することができる。
【００１５】
（請求項３について）
磁石体は、窪み部の内底部中央に立設された筒体に嵌着されている。
請求項３では、窪み部に筒体を設けているので、磁石体を窪み部に取付ける際、磁石体を筒体に嵌着すればよくなり、筒体に対する磁石体に組付けが迅速になって組付け作業性が向上する。
【００１６】
（請求項４について）
磁石体の先端部は半球状を成し、保持側部材に対するボールマーカーの装着時、磁石体の先端部が磁性部材に点接触状態で当接する。
請求項４では、磁石体の先端部が磁性部材に点接触しているため、ボールマーカーの取出し時に、ボールマーカーが磁石体の先端部を回り易くなって円滑に傾斜回動し、ボールマーカーを保持側部材から素早く取出すことができる。
【００１７】
（請求項５について）
磁石体の先端部は半球状を成すとともに、ボールマーカーの裏面側に半球面状に窪む磁性部材を嵌着した凹部が形成されている。保持側部材に対するボールマーカーの装着時、磁石体の先端部が磁性部材に滑動可能に嵌合される。
請求項５では、磁石体の先端部が磁性部材に滑動可能に嵌合されているため、ボールマーカーの取出し時に、ボールマーカーが磁石体の先端部に対して回り易くなって円滑に傾斜回動し、ボールマーカーを保持側部材から素早く取出すことができる。
【００１８】
（請求項６について）
磁石体は、窪み部の内底部中央から位置ずれした偏心状態に設けられている。
請求項６では、磁石体を窪み部に偏心状態に設けたので、磁石体からボールマーカーの一端部までの第１距離と磁石体からボールマーカーの他端部までの第２距離とが互いに異なる大きさとなる。この際、ボールマーカーの第１距離と第２距離のうち、長い寸法距離なる端部を押圧することにより、梃子の原理が効果的に働いて、ボールマーカーが小さな押圧力で素早く傾斜回動するので、ボールマーカーを保持側部材から取出し易くなる。
【００１９】
（請求項７について）
ボールマーカーの裏面外周縁には、磁性体辺部が設けられ、窪み部の内底部外周縁には、磁性体辺部に対応する磁石辺部が設けられている。
請求項７では、ボールマーカーの取出し時、ボールマーカーが押圧により回動して傾斜し始めると、磁性体辺部のうち傾斜側の部分が磁石辺部からの磁気吸引力を受けるので、ボールマーカーが急速に傾斜回動し、ボールマーカーを保持側部材から素早く取出すことができる。
【００２０】
（請求項８について）
窪み部の内底部に磁石体を頂点として外周縁の裾野に向かって下降傾斜しながら緩やかに広がる円錐状のテーパ面を形成している。
請求項８では、ボールマーカーの一端部を押圧した際、ボールマーカーの裏面部が他の近隣部材に干渉することなく、テーパ面を登るように円滑に摺動して上昇する。
この際、ボールマーカーの他端部が窪み部の開口部から外部に現出することから、その他端部を摘むことにより、ボールマーカーを保持側部材から容易でかつ素早く取出すことができる。
【００２１】
（請求項９について）
ボールマーカーの表面には、光反射部材が貼着されている。
請求項９では、プレーの時に、ボールマーカーをグリーンにセットするに伴い、晴天日には光反射部材が日光を受け、乱反射により光を放すので、ボールマーカーを視認し易くなり、遠くからでも発見しやすく見失う虞がない。
【００２２】
（請求項１０について）
ボールマーカーの裏面には、シート状の磁性部材が全面にわたって貼着されている。
請求項１０では、ボールマーカーの取出時、ボールマーカーの裏面が磁石体に吸着されながら摺動するので、取出し操作が安定し、ボールマーカーが保持側部材から不用意に脱落してしまうことがない。
【図面の簡単な説明】
【００２３】
【図１】（ａ）はボールマーカーの保持側部材を取付けたゴルフシューズの斜視図、（ｂ）は磁性部材、ボールマーカー、磁性体、保持側部材およびクリップを示す分解斜視図である（実施例１）。
【図２】（ａ）はボールマーカー用ホルダーの縦断面図、（ｂ）はボールマーカー用ホルダーの斜視図である（実施例１）。
【図３】（ａ）はボールマーカー用ホルダーを示す縦断面図、（ｂ）はボールマーカーの裏面図、（ｃ）は保持側部材を示す平面図である（実施例２）。
【図４】（ａ）、（ｂ）はボールマーカー用ホルダーを示す縦断面図である（実施例３、４）。
【図５】ボールマーカー用ホルダーを示す縦断面図である（実施例５）。
【図６】（ａ）〜（ｃ）は作用を説明するために示すボールマーカー用ホルダーの縦断面図である（実施例６）。
【図７】（ａ）はボールマーカーと磁性部材との斜視図、（ｂ）はボールマーカーに磁性部材を貼着した態様を示す斜視図、（ｃ）はボールマーカー用ホルダーを示す縦断面図である（実施例７）。
【図８】（ａ）〜（ｅ）はボールマーカー用ホルダーおける保持側部材の具体的類型を示す斜視図である（使用例）。
【考案を実施するための形態】
【００２４】
本考案に係るボールマーカー用ホルダーでは、ボールマーカーを保持側部材に確実に装着できる一方、ボールマーカーを保持側部材から取出す際、ボールマーカーを押圧操作により素早く取出すことが可能な構成を技術的特徴とする。
【実施例】
【００２５】
〔実施例１の構成〕
図１および図２は本考案の実施例１を示す。
図１（ａ）は、野外のゴルフ場などで着用する靴としてのゴルフシューズ１を示し、外底部２、インステップ３（甲の部分）、爪先部４、上部５、踵部６、履き口６ａおよび舌辺部７などの構成部品を有している。インステップ３の左右両側には、鳩目３ａが縁取りされて靴紐３ｂがシューレースとして通された一群の紐孔３ｃが左右二列になって形成されている。
【００２６】
ボールマーカー用ホルダー８を構成する保持側部材９は、図１（ｂ）に示すように、多種類の金属のなかでも、例えばアルミニウムにより浅底短筒状のケースとして形成されている。保持側部材９の裏面には、例えばニッケル系ステンレス鋼材により形成された平坦な金属製のフック板１０ａを曲成して断面が細長な横Ｕ字状を呈するように設けたクリップ１０が固定されている（図２（ａ）参照）。
保持側部材９の裏面に対するクリップ１０の固定時、クリップ１０の全長Ｇは、保持側部材９の直径領域Ｅ内に存するように配置される。
クリップ１０をゴルフシューズ１のインステップ３に差し込むことにより、保持側部材９がゴルフシューズ１に着脱可能に装着される。保持側部材９が偏平な浅底円筒状を成すため、保持側部材９の表面は、内部を受容空間１１とする窪み部１２を形成する。
【００２７】
窪み部１２の内底部１２ｂには、例えばネオジウム磁石から成る磁石体１３が設けられるが、この磁石体１３は、窪み部１２の内底部中央Ｈに立設された短寸な筒体１４に嵌着されている。筒体１４の高さ寸法は、窪み部１２の深さ寸法を見込んだ大きさに設定されている。すなわち、筒体１４の高さ寸法は、後述するボールマーカー１５の厚みを考慮して設定されているので、窪み部１２の深さ寸法よりも若干小さくなる。
円盤状の蓋体を成すボールマーカー１５は、保持側部材９と同様にアルミニウムの金属により形成され、保持側部材９に対して着脱可能に取付けられている。保持側部材９の直径寸法は、窪み部１２の上面開口部１２ａに嵌合する大きさを有するように設定されている。
【００２８】
ボールマーカー１５の表面には、図２（ａ）、（ｂ）に示すように、粒状を成す多数のクリスタルビーズ１５Ａ（例えばガラスビーズ）が装飾機能を兼ねる光反射部材として貼着され、ボールマーカー１５の裏面側で磁石体１３に対応する位置には、底付き小穴部１５ａが設けられている。底付き小穴部１５ａには、例えばクロム系ステンレス鋼材により形成された磁性部材１６が嵌着固定されている。
【００２９】
保持側部材９に対するボールマーカー１５の装着時、磁性部材１６が磁石体１３に吸着されるため、ボールマーカー１５が蓋体となって窪み部１２の上面開口部１２ａに嵌合状態で保持される。
【００３０】
上記構成において、グリーンでプレーしている時に、芝生上のゴルフボール（図示せず）をボールマーカー１５に置き換える際、保持側部材９からボールマーカー１５を取出すには、磁石体１３を支点としてボールマーカー１５の一端部１５ｃを窪み部１２の受容空間１１に没するように押圧する。
すると、ボールマーカー１５において、図２（ａ）に示すように、磁石体１３からボールマーカー１５の一端部１５ｃまでの距離Ｄに押圧力Ｆが作用して反時計回りのモーメントＭが生じる。
すなわち、ボールマーカー１５に梃子の原理が働き、図２（ａ）に二点鎖線で示すように、ボールマーカー１５が磁石体１３を中心にして保持側部材９に対して傾斜するように回動し、ボールマーカー１５の他端部１５ｄが上面開口部１２ａから外部に出現する。
【００３１】
〔実施例１の効果〕
実施例１では、磁性部材９が磁石体１３に吸着してボールマーカー１５を窪み部１２の上面開口部１２ａに嵌合状態で保持するので、ボールマーカー１５が確実に保持側部材９に装着され、ゴルフのプレー時にボールマーカー１５が不用意に保持側部材９から外れて落ちることがない。
このため、グリーンでプレー時に、ゴルフシューズ１が常にラフの草と接触する事情にありながらも、ボールマーカー１５が保持側部材９から外れることなく強固に保持されるので、活動的なプレーを行っても、高価なボールマーカー１５を紛失することがない。
ボールマーカー１５の一端部１５ｃに対する押圧操作により、ボールマーカー１５が磁石体１３を支点として傾斜するように回動し、ボールマーカー１５の他端部１５ｄが上面開口部１２ａから外部に出現するので、ボールマーカー１５の他端部１５ｄを摘むことにより、ボールマーカー１５を保持側部材９の上面開口部１２ａから外部に容易に且つ素早く取出すことができる。
【００３２】
すなわち、ボールマーカー１５の装着時には、ボールマーカー１５が確実に保持側部材９に保持される一方、ボールマーカー１５を保持側部材９から取出す際、ボールマーカー１５への押圧操作により取出すことができるため、引張り操作と異なって取出し操作が安定し、ボールマーカー１５を簡単な操作で素早く取出すことができて取出し操作性が大幅に向上し、総じて使い勝手のよい実用性に優れた構造のボールマーカー用ホルダー８を実現させることができる。
この場合、ボールマーカー１５は、グリーン上に屈んでセットされるなか、グリーン上に位置するゴルフシューズ１にボールマーカー１５を配したので、ボールマーカー１５を近接状態で容易に且つ素早く着脱することができて好都合である。
【００３３】
磁石体１３を保持側部材９に設けているので、磁石体１３の磁気力が保持側部材９の外部に波及し難くなる。このため、磁石体１３をボールマーカー１５に設けるものと異なり、磁石体１３の磁気力がゴルフクラブ（図示せず）に波及し難くなり、プレー時、ボールマーカー１５が不用意に保持側部材９から外れてパターに吸着してしまうことがない。
保持側部材９をゴルフシューズ１に取付ける際、クリップ１０をゴルフシューズ１のインステップ３に差込むことで、平坦なフック板１０ａがインステップ３と面接触で当接し合うため、丸ピンなどのピン部材を用いる場合と異なって、インステップ３に対する保持側部材９の取付け状態が堅固になり、保持側部材９が甲のインステップ３から不用意に抜け落ちることがない。
【００３４】
保持側部材９およびボールマーカー１５は、それぞれアルミニウムにより形成され、クリップ１０はニッケル系ステンレス鋼材により形成されている。
このため、ボールマーカー１５は適宜な重さを有し、風などによる影響を受けることがなく、セット時に芝生上で安定した状態に置かれる。また、雨天時などにクリップ１０が水に濡れる状況にありながらも、ニッケル系ステンレス鋼材は耐腐食性金属のため、錆による腐食が生じず、ゴルフシューズ１や靴紐３ｂなどに錆の汚れが生じることがない。
【００３５】
磁性部材１６にクロム系ステンレス鋼材を用いているので、磁性部材１６に対する磁石体１３の良好な吸着力が得られ、保持側部材９に対するボールマーカー１５の良好な保持力を維持することができる。
磁石体１３は、窪み部１２の内底部中央Ｈに立設された筒体１４に嵌着されている。このため、磁石体１３を窪み部１２に取付ける際、磁石体１３を筒体１４に嵌着すればよいので、筒体１４に対する磁石体１３に組付けが迅速になって組付け作業性が向上する。
【００３６】
ボールマーカー１５の表面には、粒状のクリスタルビーズ１５Ａが貼着されている。このため、プレーの時に、ボールマーカー１５をグリーンにセットするに伴い、晴天日にはクリスタルビーズ１５Ａが日光を受け、乱反射により光を放すので、ボールマーカー１５を視認し易くなり、遠くからでも発見しやすく見失う虞がない。
通常のプレー時には、邪魔となるイアリング、ネックレス、指輪、アンクレットやブレスレットなどの装身具は着用しないので、クリスタルビーズ１５Ａをジェムストーンによる装飾品として用いることにより、ワンポイントマークの装飾をおしゃれとして利用することもできる。
【００３７】
〔実施例２〕
図３は本考案の実施例２を示す。実施例２が実施例１と異なるところは、ボールマーカー１５の裏面外周縁に、細幅で薄肉の磁性体辺部１７を環状に形成し、窪み部１２の内底部外周縁には、磁性体辺部１７に対応する細幅で薄肉の磁石辺部１８を環状に形成したことである（図３（ａ）〜（ｃ）参照）。
実施例２では、ボールマーカー１５の取出し時、ボールマーカー１５が押圧により回動して傾斜し始めると、磁性体辺部１７のうち傾斜側の部分が磁石辺部１８からの磁気吸引力を受けるので、ボールマーカー１５が急速に傾斜回動し、ボールマーカー１５を保持側部材９から素早く取出すことができる。
磁性体辺部１７は連続体に限らず、環状線に沿って点在的に配置した複数の磁性体断片から構成し、磁石辺部１８も点在的に配置した複数の磁石体断片から構成してもよい。
【００３８】
〔実施例３〕
図４（ａ）は本考案の実施例３を示す。実施例３が実施例１と異なるところは、磁石体１３の先端部１３ａを半球状に形成し、保持側部材９に対するボールマーカー１５の装着時、磁石体１３の先端部１３ａが磁性部材１６に点接触状態で当接させたことである。
実施例３では、磁石体１３の先端部１３ａが磁性部材１６に点接触しているため、ボールマーカー１５の取出し時に、ボールマーカー１５が磁石体１３の先端部１３ａを回り易くなって円滑に傾斜回動し、ボールマーカー１５を保持側部材９から素早く取出すことができる（図４（ａ）の二点鎖線参照）。
【００３９】
〔実施例４〕
図４（ｂ）は本考案の実施例４を示す。実施例４が実施例３と異なるところは、磁石体１３を窪み部１２の内底部中央Ｈから距離ｈだけ位置ずれした偏心状態に設けたことである。
実施例４では、磁石体１３を窪み部１２に偏心状態に設けたので、磁石体１３の中心からボールマーカー１５の一端部１５ｃまでの第１距離Ｋ１と磁石体１３の中心からボールマーカー１５の他端部１５ｄまでの第２距離Ｋ２とが互いに異なる大きさとなる。
この際、ボールマーカー１５の第１距離Ｋ１と第２距離Ｋ２のうち、長い寸法距離なる端部１５ｄを押圧することにより、梃子の原理が効果的に働いて、ボールマーカー１５が小さな押圧力で素早く傾斜回動するので、ボールマーカー１５を保持側部材９から取出し易くなる。
この時、第１距離Ｋ１と第２距離Ｋ２のうち、短い寸法距離なる端部１５ｃを押圧してボールマーカー１５を傾斜回動させてもよい。
【００４０】
〔実施例５〕
図５は本考案の実施例５を示す。実施例５が実施例１と異なるところは、磁石体１３の先端部１３ａを半球状に形成し、ボールマーカー１５の裏面側に、小穴部１５ａの代わりに、半球面状に窪む磁性部材１６を嵌着した凹部１９を形成したことである。凹部１９には、凹球面部１６ａを有する磁性部材１６を嵌着固定している。
保持側部材９に対するボールマーカー１５の装着時、磁石体１３の先端部１３ａが磁性部材１６の凹球面部１６ａに滑動可能に嵌合されるようになっている。
実施例５では、磁石体１３の先端部１３ａが磁性部材１６の凹球面部１６ａに滑動可能に嵌合されているため、ボールマーカー１５の取出し時に、ボールマーカー１５が磁石体１３の先端部１３ａに対して回り易くなって円滑に傾斜回動し、ボールマーカー１５を保持側部材９から素早く取出すことができる（図５の二点鎖線参照）。
【００４１】
〔実施例６〕
図６は本考案の実施例６を示す。実施例６が実施例１と異なるところは、窪み部１２の内底部１２ｂに磁石体１３を頂点として外周縁の裾野１３ｆに向かって下降傾斜しながら緩やかに広がる円錐状のテーパ面１３ｅを形成したことである（図６（ａ）参照）。
実施例６では、窪み部１２の内底部１２ｂに緩やかなテーパ面１３ｅを形成したので、ボールマーカー１５の一端部１５ｃを押圧した際、ボールマーカー１５の裏面部１５ｗが他の近隣部材に干渉することなく、テーパ面１３ｅに沿って円滑に摺動して上昇する（図６（ｂ）、（ｃ）参照）。
この際、ボールマーカー１５の他端部１５ｄが窪み部１２の上面開口部１２ａから外部に現出することから、その他端部１５ｄを摘むことにより、ボールマーカー１５を保持側部材９から容易でかつ素早く取出すことができる。
【００４２】
〔実施例７〕
図７は本考案の実施例７を示す。実施例７が実施例１と異なるところは、シート状の磁性部材１６をボールマーカー１５の裏面に貼着したことである。
磁性部材１６は、図７（ａ）のＥ１、Ｅ２に示すように、ボールマーカー１５と等径であり、ボールマーカー１５の裏面を全面的に覆っている（図７（ｂ）参照）。
実施例７では、ボールマーカー１５の取出時、ボールマーカー１５の裏面が磁石体１３に吸着されながら摺動するので、取出し操作が安定し、ボールマーカー１５が保持側部材９から不用意に脱落してしまうことがない（図７（ｃ）参照）。
【００４３】
図８はボールマーカー用ホルダー８おける保持側部材９の使用例を示す。保持側部材９は、偏平な浅底円筒状ばかりでなく、図８（ａ）に示すように、浅底円筒９ａの一端に三角柱体９ｂを延出形成した胴体部になっていてもよい。また、具体的な類型として図８（ｂ）〜（ｅ）に示すように、ボールマーカー１５は楕円状、方形状、正五角状あるいは正六角状に構成し、保持側部材９は楕円体ケース状、正方のケース状、正五角ケース状あるいは正六角ケース状に構成してもよい。
【００４４】
〔変形例〕
（ａ）実施例１〜７では、ボールマーカー用ホルダー８の保持側部材９はゴルフシューズ１に適用したが、ゴルフシューズ１に限らす、スポーツ用シューズをはじめ、エアーシューズやスニーカーなど一般に着用する普段の靴に適用してもよい。
（ｂ）実施例１におけるボールマーカー１５の装着時、磁石体１３の先端部は、磁性部材１６に必ず当接する必要はなく、磁石体１３の先端部は、磁性部材１６に対して、例えば２〜５ｍｍ程度の距離だけ離れた隙間があってもよい。すなわち、ボールマーカー１５の装着時、磁性部材１６に対する磁石体１３の磁気吸引力が波及する範囲内で、且つ磁石体１３がボールマーカー１５を支点として傾斜回動できる範囲内である限り、磁石体１３の先端部は磁性部材１６から所定の隙間を余して離間していてもよい。
【００４５】
（ｃ）実施例１〜７におけるクリップ１０のフック板１０ａは、ニッケル系ステンレス鋼として構成したが、フック板１０ａの金属としてはアルミニウム、軟鋼、鉄、銅あるいは真鍮などであってもよい。
（ｄ）クリップ１０のフック板１０ａは、金属の代わりに、ポリエチレン（ＰＥ）などの合成樹脂により形成してもよい。フック板１０ａの合成樹脂の材料としては、ポリエチレン（ＰＥ）の他、ポリプロピレン（ＰＰ）、ポリカーボネイト（ＰＣ）、ポリメタノール（ＰＯＭ）、ポリブチレンテレフタレート（ＰＢＴＦ）あるいはポリプロエチレン（ＰＰＥ）などのエンジニアリングプラスチックであってもよい。
（ｅ）磁石体１３としてネオジウム磁石を用いたが、ネオジウム磁石に代わって、ＫＳ鋼、ＭＫ鋼、アルニコ磁石、フェライト磁石、サマリウムコバルト磁石、あるいは磁石と磁性体とを組み合わせた複合磁石を用いてもよい。
【産業上の利用可能性】
【００４６】
本考案に係るボールマーカー用ホルダーでは、磁性部材が磁石体に吸着してボールマーカーを確実に保持側部材に装着保持する。押圧操作によりボールマーカーが磁石体を支点として傾斜回動してボールマーカーの他端部が上面開口部から外部に出現するため、ボールマーカーの他端部を摘むことにより、ボールマーカーを保持側部材の上面開口部から外部に容易に取出すことができる。ボールマーカー取出し操作の容易性に着目してボールマーカーに関する製造業界の需要を喚起し、関連部品の流通を介して機械産業に資することができる。
【符号の説明】
【００４７】
１          ゴルフシューズ（靴）
３          ゴルフシューズのインステップ（甲の部分）
８          ボールマーカー用ホルダー
９          保持側部材
１０        クリップ
１０ａ      フック板
１１        受容空間
１２        窪み部
１２ａ      窪み部の上面開口部
１２ｂ      窪み部の内底部
１３ｅ      窪み部のテーパ面
１３ｆ      窪み部の裾野
１３        磁石体
１３ａ      磁石体の先端部
１４        筒体
１５        ボールマーカー
１５Ａ      クリスタルビーズ（反射部材）
１５ｃ      ボールマーカーの一端部
１５ｄ      ボールマーカーの他端部
１５ｗ      ボールマーカーの裏面部
１６        磁性部材
１６ａ      凹球面部
１７        磁性体辺部
１８        磁石辺部
１９        ボールマーカーの凹部
Ｈ          窪み部の内底部中央
Ｋ１        第１距離
Ｋ２        第２距離
【図１】
0003181367.tif 000003
【図２】
0003181367.tif 000004
【図３】
0003181367.tif 000005
【図４】
0003181367.tif 000006
【図５】
0003181367.tif 000007
【図６】
0003181367.tif 000008
【図７】
0003181367.tif 000009
【図８】
0003181367.tif 000010